(57)【要約】【課題】  発光素子の輝度を上げることなく表示の輝度を上げることを可能とした車両用表示装置を提供する。【解決手段】  発光部と、発光部の光を走査するマイクロミラーデバイスと、発光部およびマイクロミラーデバイスを制御する制御部とを備える車両用表示装置であって、制御部は、車両情報に基づき、光が投影される範囲を変更することとした。【選択図】      図５
2009255814.tif 000002
【特許請求の範囲】
【請求項１】
発光部と、
前記発光部の光を反射し、かつ走査するマイクロミラーデバイスと、
前記発光部および前記マイクロミラーデバイスを制御する制御部と
を備える車両用表示装置であって、
前記制御部は、車両情報に基づき、前記光が投影される範囲を変更すること
を特徴とする車両用表示装置。
【請求項２】
請求項１に記載の車両用表示装置において、
前記制御部は、前記車両情報に基づき緊急時と判断された場合、前記光が投影される範囲を狭くすること
を特徴とする車両用表示装置。
【発明の詳細な説明】
【技術分野】
【０００１】
本発明は、車両に搭載される車両用表示装置に関する。
【背景技術】
【０００２】
従来、特許文献１に記載される技術にあっては、マイクロミラーデバイスを用いて光を反射させ、反射光を走査することにより表示を行っている。
【特許文献１】特開２００７−１７８７６７号公報
【発明の開示】
【発明が解決しようとする課題】
【０００３】
しかしながら上記従来技術にあっては、走査線は表示画像の有無にかかわらず常に表示可能範囲全体を走査しているため、発光素子の光が表示可能範囲全体に拡散し、表示の輝度を上げることができないという問題があった。
【０００４】
本発明は上記問題に着目してなされたもので、その目的とするところは、発光素子の輝度を上げることなく表示の輝度を上げることを可能とした車両用表示装置を提供することにある。
【課題を解決するための手段】
【０００５】
上述の目的を達成するため、本発明では、発光部と、発光部の光を反射し、かつ走査するマイクロミラーデバイスと、発光部およびマイクロミラーデバイスを制御する制御部とを備える車両用表示装置であって、制御部は、車両情報に基づき、光が投影される範囲を変更することとした。
【発明の効果】
【０００６】
よって、発光素子の輝度を上げることなく表示の輝度を上げることを可能とした車両用表示装置を提供できる。
【発明を実施するための最良の形態】
【０００７】
以下に、本発明の車両用表示装置の実施の形態を、実施例に基づいて説明する。
【実施例１】
【０００８】
［システム構成］
実施例１につき説明する。図１は本願車両用表示装置１のシステム構成図、図２は表示のメカニズムを示す図である。車両用表示装置１は車両に搭載され、フロントガラス２に表示光を反射させ、運転者に画像を表示する。
【０００９】
車両用表示装置１は制御部１０、レーザー発光素子２１、マイクロミラーデバイス２２を有する。制御部１０からの指令に基づきレーザー発光素子２１はマイクロミラーデバイス２２にレーザーを照射し、マイクロミラーデバイス２２は２軸方向に動いてレーザー光を走査し、表示光を出力する。マイクロミラーデバイス２２からの表示光は透過型スクリーン３を介して反射ミラー４により反射され、フロントガラス５に投影されて運転者に認識される。なお、透過型スクリーン３は同様の機能を有するものであれば他のものでもよい。
【００１０】
［制御ブロック図］
図３は制御ブロック図である。制御部１０は表示制御部１１０、表示内容制御部１２０を有する。制御部１０には各種センサ情報が入力され、表示内容制御部１２０は各種センサ情報に基づき表示する内容を出力する。表示制御部１１０は表示する内容に基づきレーザー発光素子２１およびマイクロミラーデバイス２２を制御する。
【００１１】
表示制御部１１０内には通常／緊急表示制御部１１１が設けられ、各種センサ情報（車速等）に基づき通常表示を行うか緊急表示を行うかを決定して通常時における表示と緊急時における表示を切り替え、レーザー発光素子２１およびマイクロミラーデバイス２２を制御する。
【００１２】
［通常時／緊急時の表示切り替え］
通常時は表示可能範囲全てにレーザー光を走査し、可能な限り大きい表示面積を得ているが、表示面積を大きくすればするほどレーザー光が拡散して輝度が低くなってしまう。輝度を高めるためにはレーザー光そのものの輝度を上げる必要がある。
【００１３】
車両用の表示では、車速が一定値以上高い場合など、緊急時等は輝度を上げて運転者に対する注意喚起を行うことが望まれる。そのため本願では、緊急時におけるレーザー光の走査範囲を通常時よりも小さくする。これによりレーザー光そのものの輝度を上げることなく、表示の輝度を向上させる。
【００１４】
図４、図５は表示範囲と走査線を示す図である。図４は通常表示、図５は緊急時である。各種センサ情報に基づき通常／緊急表示制御部１１１が表示範囲および走査範囲を切り替え、レーザー発光素子２１およびマイクロミラーデバイス２２に指令を出力し、表示範囲および走査線を変更する。これにより、緊急時はレーザー光の拡散範囲を通常時よりも小さく絞り、緊急時における表示光の輝度を向上させるものである。
【００１５】
図６は通常時における表示、図７は緊急時における表示である。緊急時は通常時よりも表示範囲が小さくされ、緊急時における表示の輝度が高められている。
【００１６】
［実施例１の効果］
レーザー発光素子２１（発光部）と、
レーザー発光素子２１の光を反射し、かつ走査するマイクロミラーデバイス２２と、
レーザー発光素子２１およびマイクロミラーデバイス２２を制御する制御部１０を備える車両用表示装置であって、
制御部１０は、車両情報に基づき、光が投影される範囲を変更することとした。
【００１７】
これにより、発光素子の輝度を上げることなく表示の輝度を上げることができる。
【００１８】
（２）制御部１０は、車両情報（車速等）に基づき緊急時と判断された場合、光が投影される範囲を狭くすることとした。
【００１９】
これにより、緊急時はレーザー光の拡散範囲を通常時よりも小さく絞り、緊急時における表示光の輝度を向上させることができる。
【００２０】
（他の実施例）
以上、実施例に基づいて説明してきたが、本発明の具体的な構成は実施例に限定されるものではなく、発明の要旨を逸脱しない範囲の設計変更等があっても、本発明に含まれる。
【産業上の利用可能性】
【００２１】
本願は、車両用であるが、その他移動体への利用は容易である。
【図面の簡単な説明】
【００２２】
【図１】本願車両用表示装置のシステム構成図である。
【図２】表示のメカニズムを示す図である。
【図３】車両用表示装置の制御ブロック図である。
【図４】表示範囲と走査線を示す図である（通常表示）。
【図５】表示範囲と走査線を示す図である（緊急時表示）。
【図６】通常時における表示である。
【図７】緊急時における表示である。
【符号の説明】
【００２３】
１    車両用表示装置
２    フロントガラス
３    透過型スクリーン
４    反射ミラー
５    フロントガラス
１０    制御部
２１    レーザー発光素子
２２    マイクロミラーデバイス
１１０    表示制御部
１１１    緊急表示制御部
１２０    表示内容制御部
【図１】
2009255814.tif 000003
【図２】
2009255814.tif 000004
【図３】
2009255814.tif 000005
【図４】
2009255814.tif 000006
【図５】
2009255814.tif 000007
【図６】
2009255814.tif 000008
【図７】
2009255814.tif 000009